(57)【要約】【課題】  小便器の排水口や排水管における尿石の付着を確実に防止できるようにする。【解決手段】  尿石除去液が収容された薬液用タンク１８と、該薬液用タンク１８が内装されると共に、薬液用タンク１８に連結接続された排液管２３が外部に連通すべく導出された容器１７と、容器１７を小便器１の内壁面７、８に取り付けるための支持部材１６と、薬液用タンク１８と排液管２３の連結部に設けられた開閉弁２０と、開閉弁２０を制御する制御手段２１とを備えた小便器排水管の尿石除去装置において、薬液を小便器１の排水口４に直接供給できるよう、排液管２３の排出口を小便器１の排水口４の上方に位置させる。【選択図】図１
2007321459.tif 000002
【特許請求の範囲】
【請求項１】
尿石除去液が収容された薬液用タンク（１８）と、該薬液用タンク（１８）に設けられた排液部（２３）と、薬液用タンク（１８）を小便器（１）の内壁面（７、８）に取り付けるための支持部材（１６）とを備え、
上記薬液を小便器（１）の排水口（４）に直接供給できるよう、排液部（２３）が小便器（１）の排水口（４）の上方に位置してなることを特徴とする小便器排水管の尿石除去装置。
【請求項２】
尿石除去液が収容された薬液用タンク（１８）と、該薬液用タンク（１８）が内装されると共に、薬液用タンク（１８）に連結接続された排液管（２３）が外部に連通すべく導出された容器（１７）と、該容器（１７）を小便器（１）の内壁面（７、８）に取り付けるための支持部材（１６）と、薬液用タンク（１８）と排液管（２３）からの流出量を制御する制御手段（２０、２１）とを備えた小便器排水管の尿石除去装置において、
上記薬液を小便器（１）の排水口（４）に直接供給できるよう、排液管（２３）の排出口が小便器（１）の排水口（４）の上方に位置してなることを特徴とする小便器排水管の尿石除去装置。
【請求項３】
上記薬液用タンク（１８）又は容器（１７）は、内壁面（７、８）との間に排水流路となる空間（Ｇ）が形成されるよう、内壁面（７、８）に取り付けられてなることを特徴とする請求項１又は２に記載の小便器排水管の尿石除去装置。
【発明の詳細な説明】
【技術分野】
【０００１】
本発明は、小便器の排水管に付着する尿石を除去するための小便器排水管の尿石除去装置に関する。
【背景技術】
【０００２】
従来のこの種の小便器排水管の尿石除去装置としては、例えば排尿後に流出される小便器の排水を容器内部に取り込むと共に、取り込んだ排水を利用して薬剤を溶解し、この薬液を、小便器の背壁部、排水口、排水管に流すことによって、尿石の排水口や排水管への付着を防止しているものが公知になっている（特許文献１参照）。
【特許文献１】特開２００３−２４７２５６号公報
【発明の開示】
【発明が解決しようとする課題】
【０００３】
しかしながら、上記従来の小便器排水管の尿石除去装置の場合、小便器の排水を利用して薬剤を溶解した後、小便器の背壁部に沿って流しているので、尿石が付着しやすい排水口や排水管に到達するまでに、希釈されて薬剤の効果が充分に作用せず、排水口や排水管における尿石の付着を防止するのが困難になるという問題がある。
【０００４】
そこで、本発明は、上記問題点を鑑み、尿石の排水口や排水管への付着を確実に防止できる小便器排水管の尿石除去装置を提供することを課題とする。
【課題を解決するための手段】
【０００５】
前記課題を解決するために、本発明に係る小便器排水管の尿石除去装置は、尿石除去剤が溶解されて収容された薬液用タンク１８と、該薬液用タンク１８が内装されると共に、薬液用タンク１８に連結接続された排液管２３が外部に連通すべく導出された容器１７と、該容器１７を小便器１の内壁面７、８に取り付けるための支持部材１６と、薬液用タンク１８と排液管２３からの流出量を制御する制御手段２０、２１とを備えた小便器排水管の尿石除去装置において、上記薬液を小便器１の排水口４に直接供給できるよう、排液管２３の排出口が小便器１の排水口４の上方に位置してなることを特徴とする。
【０００６】
この場合、薬液を、小便器１の排水口４や、該排水口４に連通する流出水路に直接供給できるので、小便器１における尿石の排水口４や排水管（流出水路）の壁面への付着を確実に防止できる。
【０００７】
また本発明の小便器排水管の尿石除去装置は、尿石除去液が収容された薬液用タンク１８と、該薬液用タンク１８が内装されると共に、薬液用タンク１８に連結接続された排液管２３が外部に連通すべく導出された容器１７と、該容器１７を小便器１の内壁面７、８に取り付けるための支持部材１６と、薬液用タンク１８と排液管２３からの流出量を制御する制御手段２０、２１とを備えた小便器排水管の尿石除去装置において、
上記薬液を小便器１の排水口４に直接供給できるよう、排液管２３の排出口が小便器１の排水口４の上方に位置してなることを特徴とする。
【０００８】
この場合、薬液用タンク１８と制御手段２０，２１を容器１７に一体化した状態で実装できる。しかも、薬液用タンク１８及び制御手段２０，２１が容器１７に内装されるので、見栄えがよい。
【０００９】
上記薬液用タンク１８又は容器１７は、内壁面７、８との間に排水流路となる空間Ｇが形成されるよう、内壁面７、８に取り付けるような構成を採用することができる。
【００１０】
この場合、小便器１における排水を薬液用タンク１８や容器１７によって妨げることがないので、小便器１の内壁面７、８の洗浄に支障をきたすことがない。
【発明の効果】
【００１１】
以上のように、本発明によれば、薬液の排液部の排出口を小便器の排水口の上方に位置させるようにしたので、薬液が希釈されることなく直接供給され、小便器の排水口、及び該排水口に連通する排水管（流出水路）における尿石の付着を確実に防止できる効果がある。
【発明を実施するための最良の形態】
【００１２】
以下、本発明の一実施形態に係る小便器排水管の尿石除去装置について、添付図面を参照しつつ説明する。
本実施形態に係る小便器排水管の尿石除去装置の構成を説明するに際して、まず小便器の構成について図３を参照して説明する。該小便器１は、尿、薬液、排水を外部に流出するための流出水路３が形成された底壁部２と、該流出水路３の開口部、即ち排水口４に設けられた蓋体５と、底壁部２の周囲を覆うように設けられた受け部６と、底壁部２の後側に立設された曲面を有する背壁部７及び側壁部８と、該背壁部７の上部に設置された射水により小便器１内部を洗浄する給水管９と、小便器１の正面に位置する人体を感知するセンサ１０と、該センサ１０の感知信号に基づいて給水管９に導水する開閉弁（図示せず）とから構成されている。なお、底壁部２、背壁部７、側壁部８を小便器１の内壁面とする。
【００１３】
受け部６は、底壁部２に流出する尿、及び底壁部２の周囲に飛散する尿を外部に漏らすことがないよう、底壁部２の周囲を覆っている。
【００１４】
そして、小便器排水管の尿石除去装置１５は、図１及び図２（イ）、（ロ）に示すように、小便器１の背壁部７の上部に着脱可能に止着された支持部材１６と、該支持部材１６に支持された容器１７と、薬液として、尿石洗浄剤が溶解されて収容された薬液用タンク１８と、該薬液用タンク１８の下端中央部に設けられた給水口１９と、該給水口１９に取り付けられた開閉弁としての電磁弁２０と、該電磁弁２０の開放時間を制御して薬液の供給量を調整する制御手段としてのタイマー２１と、電磁弁２０及びタイマー２１に電源を供給する電源部２２と、一端部が電磁弁２０の給水ポートに接続され、他端部が容器１７の底部中央を貫通して外部に導出された排液部としての排液管２３とを備えている。
【００１５】
支持部材１６は、裏面に両面テープ２５が接着された正面視矩形状の取付部１６ａと、該取付部１６ａの両側に立設された側面視三角形状の支持部１６ｂ、１６ｂとを有している。そして、取付部１６ａは、可撓性を有しており、図２（ロ）に示すように、小便器１の背壁部７の曲面に沿うようになっている。そして、取付部１６ａは、両面テープ１７によって小便器１の背壁部７に着脱可能に止着されると共に、両支持部１６ｂ、１６ｂによって、容器１７が小便器１の背壁部７から少し離間した状態で安定支持される。この際、両支持部１６ｂ、１６ｂは、背壁部７の曲面に対して垂直に支持される。
【００１６】
容器１７は、直方体形状を呈し、外部に導出された排水管２３の開口端部が小便器１の排水口４の上方に位置している。
【００１７】
薬液用タンク１８は、胴部が角柱状に形成されると共に、底部が漏斗状に形成され、排液しやすいようになっている。
【００１８】
電源部２２は、乾電池式、交流電源のいずれであってもよい。但し、交流電源の場合、交流電源を直流電源に変換するためのインバータが必要になる。
【００１９】
つぎに小便器排水管の尿石除去装置の使用態様につき、既設の小便器１を例にとって説明する。まず、容器１７を支持部材１６の両支持部１６ｂ、１６ｂに予めねじ止めしておき、該支持部材１６の裏面に貼着されている両面テープ２５の剥離紙を剥がして、両面テープ２５の接着層を小便器１の背壁部７に接着し、容器１７を小便器１に固定する。この際、小便器１の背壁部７と容器１７との間に小便器１の排水流路としての空間Ｇが形成される。
【００２０】
そして、小便器１の前方に人が立つと、人体をセンサ１０が感知して、センサ１０の感知信号により開閉弁が開いて、給水管９を介して小便器１に射水が行われる一方、小便器排水管の尿石除去装置のタイマー２１が作動して、給水管に９よる射水後、所定時間、例えば３０秒間、薬液が小便器１の排水口４に滴下される。
【００２１】
つまり、薬液が排水口４に直接滴下されるので、薬液が希釈されることがなく、尿石の付着を効果的に防止できる。また、従来のように、尿石除去剤を溶解するために小便器１の排水を内部に取り込むことがないので、容器１７に係る負荷が軽減される分、支持部材１６の強度も軽減される。
【００２２】
なお、前記実施形態の場合、人体を感知するセンサ１０の出力信号に基づいて、薬液を滴下するようにしたが、センサ１０に関係なくタイマー２１によって所定時間毎（例えば３０分毎）に供給してもよい。また、薬液の供給方法としては、滴下ではなく流下させてもよく、例えば夜間のみ適量の薬液を流下し続けてもよい。
【００２３】
さらに、前記実施形態の場合、既設の小便器１に小便器排水管の尿石除去装置を取り付けるようにしたが、新設される小便器に予め取り付けておいてもよい。
【００２４】
また、前記実施形態の場合、両面テープ２５によって小便器１に接着された支持部材１６に容器１７を取り付けるようにしたが、これに限定されるものではなく、例えば両面テープ２５の代わりに吸着盤を用いてもよい。さらに、例えば図４（イ）に示すように、断面コ字形状の支持部材３０を使用してもよく、適宜設計変更可能である。加えて、図４（ロ）に示すように、三角形状の支持部１６ｂの代わりに、例えば耐水性を有する金属製や硬質樹脂製の線材による支持部１６０で支持してもよく、図４（ハ）に示すように、排水の抵抗を受けにくい断面形状（楕円）の棒材による支持部１６１で支持するようにしてもよい。この場合、排水に対して支障きたすことがない。
【００２５】
さらに、前記実施形態の場合、排液管２３の排出口を小便器１の排水口４の上方に位置するようにしたが、排出口の位置を前後左右に調整できるよう、支持部材１６を調整可能な構成にしてもよい。
【００２６】
加えて、前記実施形態の場合、小便器１は、人体を感知するセンサ１０や該センサ１０の感知信号に基づいて射水する給水管９が取り付けられていたものとしたが、どのような小便器１の構成や形状であってもよく、一般家庭用、公衆トイレのいずれであっても適用できるのは言うまでもない。また、小便器１の背壁部７、両側壁部８にそれぞれ取り付けるようにしてもよい。
【００２７】
また、前記実施形態の場合、電磁弁２０及びタイマー２１を使用して、薬液を排出するようにしたが、毛細管現象を利用して排出するようにしてもよい。
【図面の簡単な説明】
【００２８】
【図１】本発明の一実施形態に係る小便器排水管の尿石除去装置の正面図である。
【図２】（イ）は小便器排水管の尿石除去装置の側面図、（ロ）は小便器排水管の尿石除去装置の平面図である。
【図３】小便器排水管の尿石除去装置を小便器に実装した状態の側断面図である。
【図４】（イ）〜（ハ）は支持部材の変形例を示した図である。
【符号の説明】
【００２９】
１…小便器、２…底壁部、３…流出水路、４…排水口、５…蓋体、６…受け部、７…背壁部、８…側壁部、９…給水管、１０…センサ、１５…尿石除去装置、１６、３０…支持部材、１６ａ…取付部、１６ｂ、１６０、１６１…支持部、１７…容器、１８…薬液用タンク、１９…給水口、２０…電磁弁（制御手段）、２１…タイマー（制御手段）、２２…電源部、２３…排液部（排液管）、２５…両面テープ、Ｇ…空間
【図１】
2007321459.tif 000003
【図２】
2007321459.tif 000004
【図３】
2007321459.tif 000005
【図４】
2007321459.tif 000006